(57)【要約】【課題】流路に使用されるダックビル弁に関して、逆方向の流体の流れに対し、確実にリップ部の合わせ面が閉じた状態を維持し、流体の流れを確実に防止できるダックビル弁を提供する。また、流路の流体として気体を使用し、閉鎖系にて順方向に流体を流して使用される場合に、流路の基端側が異常な大気開放状態となったとき、確実に通気音を鳴らすことができるダックビル弁を提供する。【解決手段】基端側と先端側を有し、基端側から先端側に向かう順方向の流れを許容し、かつ先端側から基端側に向かう逆方向の流れを防止する基端側から先端側にかけて互いに先細りする一対のリップ部（２）と、リップ部（２）に形成された合わせ面（３）を有するダックビル弁（７）において、前記合わせ面（３）に対して、垂直方向に最大径部を有し、平行方向に最小径部を有する環状部を基端側に有する。【選択図】図１
2007224972.tif 000002
【特許請求の範囲】
【請求項１】
先端側ハウジング部と、
基端側ハウジング部と、
を備え、
前記先端側ハウジング部には、第一の流路と、該第一の流路に連通した収納部が内部に設けられ、
前記基端側ハウジング部には、前記第一の流路に連通する第二の流路が内部に設けられ、
前記収納部には、前記第二の流路から前記第一の流路に向かう第一の方向の流動を許容し、前記第一の流路から前記第二の流路に向かう第二の方向の流動を規制する弁体が収納されている弁組立体であって、
前記弁体は、前記収納部の基端側から先端側の方向に向かって収束するように延出した実質的に平坦な一対のリップと、前記先端側において前記一対のリップが合わせ面を形成し、かつ、前記弁体は、該弁体の基端部において、前記合わせ面の面内方向と異なる方向で圧縮されるように収納されていることを特徴とする弁組立体。
【請求項２】
前記弁体の基端部には、前記合わせ面の面内方向とは異なる方向に膨出した膨出部が設けられている請求項１に記載の弁組立体。
【請求項３】
前記弁体の基端部の断面視における膨出方向が前記合わせ面の面内方向と略直交する請求項２に記載の弁組立体。
【請求項４】
前記弁体の基端部の断面視における形状が楕円形状である請求項２に記載の弁組立体。
【請求項５】
前記収納部の内面基端側の断面視における形状が円形状である請求項２ないし４のいずれかに記載の弁組立体。
【請求項６】
前記収納部の内面基端側には、基端側から先端側に向かって前記収納部が縮径するような案内面を有している請求項１ないし４のいずれかに記載の弁組立体。
【請求項７】
前記基端側ハウジング部の前記第二の流路内が陽圧となり、前記第二の流路から前記第一の流路に向かって流体が流動したとき、前記合わせ面溝が振動し音を発する請求項１ないし５のいずれかに記載の弁組立体。
【請求項８】
請求項１ないし６のいずれかに記載の弁組立体を組み込んだ医療用器具。
【発明の詳細な説明】
【技術分野】
【０００１】
本発明は、弁組立体およびそれを用いた医療用器具に関するものである。
【背景技術】
【０００２】
弁の一つである、ダックビル弁は医療機器を含め様々な用途に使用されている。ダックビル弁は、例えば特許文献１に開示されているように、弾性体から構成され、基端側と先端側を有し、環状部を有する基端側から先端側にかけて互いに先細りする一対のアヒルの唇状のリップ部を有し、また、リップ部には通常状態で閉じている合わせ面が形成されている。通常、ダックビル弁は気密的にハウジング内に組み込まれた組立体として流路内に設置され使用される。組立体において、ダックビル弁の基端側から先端側に向かう順方向の流体の流れに対しては、合わせ面が開いてその流れを許容する。一方、ダックビル弁の先端側から基端側に向かう逆方向の流体の流れに対しては、リップ部の合わせ面が閉じた状態を維持し、流体の流れを防止する。
【０００３】
しかしながら、従来のダックビル弁では、図４に示すように、液密を保つように基端側を各ハウジングで円周部を挟み込んでいるために、逆方向の流体の流れに対し、リップ部の合わせ面の閉じた状態が不十分な場合があり、流体の流れを防止できない問題がある。
【特許文献１】特開昭６１−２２８１７３号公報
【発明の開示】
【発明が解決しようとする課題】
【０００４】
本発明は、上記事情に鑑みてなされたものであり、流路に使用される弁体に関して、逆方向の流体の流れに対し、流体の流れを確実に防止できる弁組立体を提供することにある。
【課題を解決するための手段】
【０００５】
本発明の弁組立体は、先端側ハウジング部と、基端側ハウジング部と、前記先端側ハウジング部には、第一の流路と、該第一の流路に連通した収納部が内部に設けられ、前記基端側ハウジング部には、第二の流路が内部に設けられ、前記収納部には、前記第二の流路から前記第一の流路に向かう第一の方向の流動を許容し、前記第一の流路から前記第二の流路に向かう第二の方向の流動を規制する弁体が収納されている弁組立体であって、前記弁体は、前記収納部の基端側から先端側の方向に向かって収束するように延出した実質的に平坦な一対のリップと、前記先端側において前記一対のリップが合わせ面を形成し、かつ、前記弁体は、該弁体の基端部において、前記合わせ面の面内方向と異なる方向で圧縮されるように収納されていることを特徴とする。
【０００６】
本発明によれば、弁組立体に収納されている弁体の基端側から先端側の方向に向かって収束するように一対のリップが延出しており、先端側において一対のリップの合わせ面が面内方向と異なる方向で圧縮されるように収納され、一対のリップ面を圧縮するような外力が働いている。これにより、流体の流れが逆流するような流れになったときにおいても、一対のリップ面に閉じる外力が働いているため液体の逆流を確実に防止することができる。
【０００７】
また、前記弁体の基端部には、前記合わせ面の面内方向とは異なる方向に膨出した膨出部が設けられていてもよい。これにより、より強い力で合わせ面を閉じておくことが可能となる。
【０００８】
また、前記弁体の基端部の断面視における膨出方向が合わせ面の面内方向と略直交するように設けられていてもよい。また、前記弁体の基端部の断面視における形状が楕円形状であってもよい。
【０００９】
また、前記収納部の内面基端側の断面視における形状が円形状であってもよい。これにより、弁体の基端部の前記合わせ面の面内方向と異なる方向に膨出部が設けられていることにより、この弁体を収納部へ収納した際、より強い圧縮力によって合わせ面を閉じることが可能となる。
【００１０】
さらに、前記収納部の内面基端側には、基端側から先端側に向かって縮径するような案内面を有していてもよい。これにより、弁体を収納部へ収納したとき、弁体の基端部が圧縮される結果、合わせ面に対してさらに合わせ面を閉じる力が働くことになり、合わせ面をより確実に閉じることが可能となる。
【００１１】
また、前記基端側ハウジング部の第二の流路内が陽圧となり、第二の流路から第一の流路に向かって流体が流動したとき、前記合わせ面溝が振動し音を発するようにしてもよい。これにより、流路の方向に異常があった場合速やかに周りにいる術者に異常を知らせることが可能となる。
【００１２】
また、本発明によれば、弁組立体を組み込んだ医療用器具が提供される。
【発明の効果】
【００１３】
本発明によれば、流路に使用される弁体に関して、逆方向の流体の流れに対し、流体の流れを確実に防止できる弁組立体を提供することができる。
【発明を実施するための最良の形態】
【００１４】
以下、本発明の実施の形態について、図面を用いて説明する。なお、すべての図面において、共通する構成要素には同一符号を付し、以下の説明において詳細な説明を適宜省略する。
【００１５】
図１に示すように、本実施形態に係る弁組立体は、先端側ハウジング部（６）と、基端側ハウジング部（５）と、先端側ハウジング部（６）には、第一の流路（８）と、第一の流路（８）に連通した収納部（１０）が内部に設けられ、基端側ハウジング部（５）には、第二の流路（９）が内部に設けられ、収納部（１０）には、第二の流路（９）から第一の流路（８）に向かう第一の方向の流動を許容し、第一の流路（８）から前記第二の流路（９）に向かう第二の方向の流動を規制する弁体（７）が収納されている弁組立体である。そして、図２に示すように、弁体（７）は、収納部（１０）の基端側から先端側の方向に向かって収束するように延出した実質的に平坦な一対のリップ（２）と、先端側において両リップ（２）間が合わさり、合わせ面（３）が形成され、かつ、弁体（７）は、弁体（７）の基端部において、合わせ面の（３）の面内方向と異なる方向で圧縮されるように収納されている。なお、図１（ａ）〜図１（ｃ）は、弁体（７）がハウジング内に組み込まれた組立体の一例を示す図である。図１（ａ）は、正面図である、図１（ｂ）は弁体（７）が図２（ｅ）の状態のときの断面図である。図１（ｃ）は、弁体（７）が図２（ｆ）の状態のときの断面図である。
【００１６】
図２（ａ）〜図２（ｆ）は、本発明の一実施形態である弁体（７）の一例を示す図である。なお、本実施形態では弁体（７）として、ダックビル弁（７）として説明する。図２（ａ）は、ダックビル弁（７）の正面図である。図２（ｂ）は、ダックビル弁（７）の上面図である。図２（ｃ）は、ダックビル弁（７）の下面図である。図２（ｄ）は、ダックビル弁（７）の側面図である。図２（ｅ）は、図２（ｂ）のＡ−Ａ’断面図である。図２（ｆ）は、図２（ｃ）のＢ−Ｂ’断面図である。
【００１７】
図２（ａ）〜図２（ｆ）に示したダックビル弁（７）は、弾性体から構成され、少なくとも、基端側の基端部（１）と、基端側から先端側にかけて互いに先細りする一対のリップ（２）と、リップ（２）に形成された合わせ面（３）を有する。また、図１（ａ）〜図１（ｃ）に示した組立体は、ダックビル弁（７）と基端側ハウジング部（５）と先端側ハウジング部（６）から構成され、ダックビル弁（７）の基端部（１）を基端側ハウジング部（５）と先端側ハウジング部（６）とで挟み込むことで気密的にダックビル弁（７）をハウジング内に組み込んでいる。
【００１８】
図２において、ダックビル弁（７）の基端部（１）は合わせ面（３）の合わせ面の面内方向とは異なる方向に膨出した膨出部（４）が設けられている。また、ダックビル弁（７）の基端部（１）の断面視における膨出方向が合わせ面の面内方向と略直交する方向であってもよい。また、ダックビル弁（７）の基端部（１）の断面視における形状が楕円形状でってもよい（図３）。これは、合わせ面の面内方向に対して、垂直方向が最大径部となり、平行方向が最小径部となっている。すなわち、ダックビル弁（７）が気密的にハウジング内に組み込まれたとき、合わせ面（３）に対して垂直方向の基端部（１）の外径部が、合わせ面（３）に対して平行方向の基端部（１）の径部より、ハウジングへの接触が大きくなり、ハウジングからの応力が大きくなっている。このため、ダックビル弁（７）の合わせ面（３）が閉じる方向に応力がかかり、ダックビル弁（７）の先端側から基端側に向かう逆方向の流体の流れに対し、確実にリップ（２）の合わせ面（３）が閉じた状態を維持でき、流体の流れを確実に防止することができる。また、閉鎖系の流路で流体として気体を使用し、流路の基端側が大気開放状態となるような流体の異常があったとき、ダックビル弁（７）の基端側から先端側に向かう順方向の流体の流れに対し、合わせ面（３）が開きっぱなしにならず、合わせ面（３）が開閉状態の繰り返しの振動を起こすため、１００Ｈｚから１０ｋＨｚの周波数の通気音を鳴らせることができる。これによって、周囲にいる術者に、流体の流れに異常があったことをいち早く報せることができる。
【００１９】
ダックビル弁（７）の基端部（１）の最大径部と最小径部の比率は、例えば、１．０２〜１．２０とすることができる。これを、内面基端側の断面視における形状が円形状の収納部に収納することでより大きい外力で合わせ面（３）を閉じることが可能となる。また、内面基端側の断面視における形状が円形状ではなく、膨出部（４）をもった弁体（７）を膨出部（４）で圧縮する外力が働ければよく、ほぼ円形状であってもよい。こうすることで、確実な逆流の防止、または確実な通気音の発生を得ることができる。ダックビル弁（７）の大きさは、必要とする流路の大きさにより、一該には言えないが、例えば、ダックビル弁（７）の基端部（１）の最大径部を５〜１５ｍｍ、基端部（１）の最小径部を４．２〜１４．７ｍｍ、環状部の長さを１〜５ｍｍ、リップの長さを２〜１５ｍｍとすることができる。
【００２０】
ダックビル弁（７）の合わせ面（３）には、例えば、シリコーンオイルやシリコーングリースを塗布してもよい。こうすることで、逆方向の流体の流れをさらに確実に防止することができる。
【００２１】
また、図２（ｂ）、（ｃ）、（ｅ）、（ｆ）に示すように、ダックビル弁（７）の基端部（１）に円周状リブ（１２）を設けても良い。こうすることでダックビル弁（７）をハウジング内に組み込んだとき、ダックビル弁（７）の基端部（１）が、ハウジング間との間で円周状リブ（１２）が圧縮され、基端側ハウジング部（５）との取付部の気密性を向上させることができる。
【００２２】
ダックビル弁（７）は、例えば、シリコーンゴム、アクリロニトリルゴム、イソプレンゴム、ウレタンエラストマー等の弾性体を材質とし、圧縮成形等により成形することができる。また、ダックビル弁（７）のリップ（２）の合わせ面（３）は成形後に刃物等により形成することができる。ハウジングは、例えば、硬質塩化ビニル樹脂、ポリカーボネート樹脂、アクリロニトリルブタジエン樹脂等に熱可塑性樹脂を材質とし、射出成形等により成形することができる。
【００２３】
また、本実施形態によれば、収納部（１０）の内面基端側には、基端側から先端側に向かって収納部（１０）が縮径するような案内面を有していてもよい。これにより、ダックビル弁（７）を先端側ハウジング部（６）に収納させようとしたとき、ダックビル弁（７）に形成されている膨出部（４）が、合わせ面（３）に向かって合わせ面（３）閉じようとする方向の外力が発生し、ダックビル弁（７）の合わせ面（３）を、さらに、圧縮させるように収納する形態となりさらに確実に合わせ面（３）を閉じることが可能となる。その結果、逆流が発生した場合でも確実に、合わせ面（３）を閉じておくことができるので、逆流を防止することができる。
【００２４】
医療用具として、例えば、薬液量調整装置や吸引圧により臓器の位置を調整する臓器位置調整装置などにも応用できる。
以上、本発明を実施形態に基づいて説明した。これらの実施形態はあくまで例示であり、種々の変形例が可能なこと、また、そうした変形例も本発明の範囲にあることは当業者に理解されるところである。
【図面の簡単な説明】
【００２５】
【図１】実施形態に係るハウジングにダックビル弁を組み込んだ組立体の構成を模式的に示す図である。
【図２】実施形態に係るダックビル弁の構成を模式的に示す図である。
【図３】他に実施形態に係るダックビル弁の平面図を示す図である。
【図４】従来例の弁組立体を模式的に示す図である。
【符号の説明】
【００２６】
１    基端部
２    リップ
３    合わせ面
４    膨出部
５    基端側ハウジング部
６    先端側ハウジング部
７    弁体（ダックビル弁）
８    第一の流路
９    第二の流路
１０    収納部
１２    円周状リブ
【図１】
2007224972.tif 000003
【図２】
2007224972.tif 000004
【図３】
2007224972.tif 000005
【図４】
2007224972.tif 000006